(57)【要約】【課題】左右の脚の長さが異なる者に適しており、ソール３１の厚みが容易に調整されうる靴用の部品セットの提供。【解決手段】部品セットは、第一部品１、第二部品１１及び第三部品１７を含む。第一部品１は、アッパー３とベースシート５を備えている。第三部品１７は、プレーンシート１９とアウトソール２１とを備えている。ベースシート５の下面と第二部品１１の上面とが接合され、第二部品１１の下面とプレーンシート１９の上面とが接合されることにより、靴２９が完成する。この靴２９は第二部品１１を含むので、ソール３１の厚みが大きい。第二部品１１の厚みが調整されることにより、着用者の症状に応じた靴２９が得られる。【選択図】　図４
2004129815.tif 000002
【特許請求の範囲】
【請求項１】
ソールの上層を構成するベースシートとこのベースシートに固定されたアッパーとを含む第一部品、
その全部又は一部がソールの中層を構成する第二部品、
及び
アウトソールを含みソールの下層を構成する第三部品
を備えており、
第二部品の全部又は一部と第一部品とが接合されかつ第二部品の全部又は一部と第三部品とが接合されれば靴が完成するように構成された靴用の部品セット。
【請求項２】
第一部品の下面の輪郭形状と第二部品の上面の輪郭形状とが実質的に同一であり、第二部品の下面の輪郭形状と第三部品の上面の輪郭形状とが実質的に同一である請求項１に記載の部品セット。
【発明の詳細な説明】
【０００１】
【発明の属する技術分野】
本発明は、部品同士が接合されることによって靴が完成する部品セットに関する。
【０００２】
【従来の技術】
靴は、着用者の足と地面との間に介在し、歩行時に重要な役割を果たす。生体工学の見地から、着用者の身体に適合した靴が好ましい。足にフィットする靴の製造方法が、特開２００１−２０８公報及び特公平６−８５７２２号公報に開示されている。
【０００３】
通常の靴では、右足靴は左足靴の形状が反転された形状を呈する。右足靴のソール厚みは、左足靴のソール厚みと同一である。股関節に疾患を持ち、左右の脚の長さが異なる者が存在する。この者が通常の靴を着用した場合、歩行に大きな負担が伴う。先天的に、左右の脚の長さが異なる者も存在する。この者が通常の靴を着用して歩行することは、腰痛の原因となる。
【０００４】
左右の脚の長さが異なる者に着用させる目的で、義肢装具師によってソール厚みが調整されることがある。例えば、左の脚が短い者には、左足靴のソールが厚くされる。調整では、まずナイフ、ノコギリ等の工具によってソールが上下に分割される。次に、ソールと同等の材料からなる板から、追加部材が裁断される。追加部材の輪郭形状は、ソールの輪郭形状と同一とされる。次に、この追加部材の上面に上側のソールが接合され、追加部材の下面に下側のソールが接合される。換言すれば、追加部材はソールの一部を構成する。追加部材により、ソールの厚みは大きくなる。厚みの変化量は、追加部材の厚みと同一である。厚いソールは、短い脚を補う。
【０００５】
【特許文献１】
特開２００１−２０８公報
【特許文献２】
特公平６−８５７２２号公報
【０００６】
【発明が解決しようとする課題】
ソール厚みの調整作業は煩雑であり、熟練を要する。しかも、調整には長時間を要する。厚み調整がなされた靴は、概して高価格である。本発明はこのような実情に鑑みてなされたものであり、ソール厚みが容易に調整されうる靴用の部品セットの提供をその目的とする。
【０００７】
【課題を解決するための手段】
本発明に係る部品セットは、第一部品、第二部品及び第三部品を備えている。第一部品は、ソールの上層を構成するベースシートとこのベースシートに固定されたアッパーとを含む。第二部品の全部又は一部は、ソールの中層を構成する。第三部品はアウトソールを含み、ソールの下層を構成する。第二部品の全部又は一部と第一部品とが接合されかつ第二部品の全部又は一部と第三部品とが接合されれば、靴が完成する。
【０００８】
この部品セットでは、従来の厚さ調整の際になされていた、ソールの上下分割作業が不要である。この部品セットが用いられることにより、着用者に適合する靴が容易に得られる。
【０００９】
好ましくは、第一部品の下面の輪郭形状と第二部品の上面の輪郭形状とは実質的に同一であり、第二部品の下面の輪郭形状と第三部品の上面の輪郭形状とは実質的に同一である。この部品セットが用いられれば、従来の厚さ調整の際になされていた裁断作業が不要である。この部品セットが用いられることにより、着用者に適合する靴が極めて容易に得られる。
【００１０】
【発明の実施の形態】
以下、適宜図面が参照されつつ、好ましい実施形態に基づいて本発明が詳細に説明される。
【００１１】
図１（ａ）は本発明の一実施形態に係る部品セットの第一部品１が示された正面図であり、図１（ｂ）はその底面図である。図１の第一部品１は、左足靴用である。右足靴用の第一部品は、図１の形状が反転された形状を呈する。第一部品１は、アッパー３とベースシート５とを備えている。アッパー３は、紐７を備えている。アッパー３は、接着剤等によってベースシート５に固定されている。ベースシート５の下面９は、平坦である。
【００１２】
アッパー３は、紐７を除き、皮革、合成皮革、織布等からなる。ベースシート５は、ポリマー組成物から成形されている。ベースシート５の基材ポリマーは、合成樹脂でもゴムでもよい。好適な合成樹脂としては、エチレン−酢酸ビニル共重合体及びポリウレタンが例示される。好適なゴムとしては、天然ゴム、ポリイソプレン、ポリブタジエン、スチレン−ブタジエン共重合体、アクリロニトリル−ブタジエン共重合体及びエチレン−プロピレン−ジエン共重合体が例示される。クッション性及び軽量化の観点から、ベースシート５に発泡体が用いられるのが好ましい。
【００１３】
図２（ａ）は図１の第一部品１と共に用いられる第二部品１１が示された正面図であり、図２（ｂ）はその底面図である。この第二部品１１は、第一部品１のベースシート５と同一材料から形成されている。図２（ａ）から明らかなように、第二部品１１はプレート状である。図１と図２との対比から明らかなように、第二部品１１の上面１３の輪郭形状は、第一部品１の下面９の輪郭形状と実質的に同一である。第二部品１１の上面１３及び下面１５は、平坦である。
【００１４】
図３（ａ）は図１の第一部品１及び図２の第二部品１１と共に用いられる第三部品１７が示された正面図であり、図３（ｂ）はその底面図である。この第三部品１７は、プレーンシート１９とアウトソール２１とを備えている。プレーンシート１９とアウトソール２１とは、接着剤等によって接合されている。
【００１５】
プレーンシート１９は、第一部品１のベースシート５と同一材料から形成されている。アウトソール２１はプレーンシート１９と同一材料から構成されてもよく、異なる材料から構成されてもよい。アウトソール２１は地面と擦動する部分なので、耐摩耗性の観点から、アウトソール２１がプレーンシート１９よりも硬質な材料から構成されるのが好ましい。
【００１６】
図２と図３との対比から明らかなように、第三部品１７の上面２３の輪郭形状は、第二部品１１の下面１５の輪郭形状と実質的に同一である。第三部品１７の上面１３は、平坦である。アウトソール２１の下面２５には、多数の筋溝２７が形成されている。この筋溝２７により、靴のスリップが防止される。
【００１７】
第一部品１、第二部品１１及び第三部品１７は、セットで流通し、セットで販売される。
【００１８】
図４は、図１の第一部品１、図２の第二部品１１及び図３の第三部品１７が組み合わされてなる靴２９が示された正面図である。この靴２９は、第一部品１の下面９と第二部品１１の上面１３とが接合され、かつ第二部品１１の下面１５と第三部品１７の上面２３とが接合されることによって得られる。
【００１９】
この靴２９は、アッパー３とソール３１とからなる。ソール３１は、第一部品１のベースシート５、第二部品１１及び第三部品１７からなる。換言すれば、ベースシート５はソール３１の上層を構成し、第二部品１１はソール３１の中層を構成し、第三部品１７はソール３１の下層を構成する。
【００２０】
前述のように、ベースシート５、第二部品１１及びプレーンシート１９は、同一材料からなる。これら３枚の部材は、ミッドソール３３を形成する。換言すれば、ソール３１はミッドソール３３とアウトソール２１とからなる。ミッドソール３３は、主としてクッション性に寄与する。アウトソール２１は、主としてスリップ防止と耐摩耗性とに寄与する。
【００２１】
第一部品１と第三部品１７との間に第二部品１１が介在するので、この靴２９のソール３１は極めて厚い。ソール３１の厚い靴２９は、脚が短い方の足に着用される。例えば、右足に比べて左足が短い者は、図４に示された靴２９を左足に着用する。右足には、第二部品１１が存在せず第一部品１と第三部品１７とが直接に接合された靴を着用する。右足に着用されるソールの厚みは、図４に示されたソール３１よりも薄い。左右の靴２９のソール厚みが異なることが、左右の脚の長さが異なることを補う。
【００２２】
この部品セットでは、各部品１、１１、１７があらかじめ分割されているので、従来の厚さ調整において行われていたソールの上下分割作業が不要である。この部品セットが用いられることにより、着用者に適合する靴２９が容易に得られる。この部品セットでは、第一部品１の下面９の輪郭形状と第二部品１１の上面１３の輪郭形状とは実質的に同一であり、第二部品１１の下面１５の輪郭形状と第三部品１７の上面２３の輪郭形状とは実質的に同一である。この部品セットが用いられれば、従来の厚さ調整の際になされていた裁断作業が不要である。この部品セットが用いられることにより、着用者に適合する靴２９が極めて容易に得られる。
【００２３】
靴２９を得るための作業は、義肢装具師が行ってもよく、販売店の店員が行ってもよく、着用者自らが行ってもよい。
【００２４】
厚みが互いに異なる複数種類の第二部品１１が、部品セットに含まれてもよい。この場合は、着用者の症状に応じて厚みが最適な第二部品１１が選択される。２枚以上の第二部品１１が用いられて、靴２９が製作されてもよい。
【００２５】
第二部品１１の厚みが調整された後に、この第二部品１１が第一部品１及び第三部品１７と接合されてもよい。厚みの調整は、上下分割、研削等の手段によってなされうる。この場合は、靴２９には第二部品１１の一部が用いられる。着用者の症状に応じ、第二部品１１の踵側が爪先側よりも厚くされたり、踵側が爪先側よりも薄くされてもよい。第二部品１１が発泡体からなる場合は、分割、研削等が容易である。
【００２６】
第一部品１と第二部品１１との接合、及び第二部品１１と第三部品１７との接合は、接着剤（典型的にはゴム糊）によってなされる。各部品１、１１、１７の材質に適した接着剤が選択される。第一部品１、第二部品１１及び第三部品１７とともに、接着剤が部品セットの構成要素とされるのが好ましい。接着剤ではなく、スナップや、面ファスナー（例えば日本ベルクロ社の登録商標「マジックテープ」）によって接合がなされるように、部品セットが構成されてもよい。
【００２７】
ベースシート５、第二部品１１及びプレーンシート１９の材質が統一される必要はない。第三部品１７がアウトソール２１のみから構成されてもよい。アウトソール２１が上下に分割され、一方が第二部品１１の構成要素とされ、他方が第三部品１７の構成要素とされてもよい。
【００２８】
第二部品１１の輪郭形状が第一部品１及び第三部品１７と統一される必要はない。例えば、第二部品が矩形であってもよい。この場合は、図２（ｂ）に示された輪郭形状を備えた部材が、第二部品から切り出される。この場合は、靴２９には第二部品の一部が用いられる。
【００２９】
【実施例】
以下、実施例によって本発明の効果が明らかにされるが、この実施例の記載に基づいて本発明が限定的に解釈されるべきはない。
【００３０】
［実施例］
図１から図４に示された部品セットを用意した。この部品セットは、第一部品、第二部品、第三部品及びゴム糊からなる。第一部品は、綿布からなるアッパー及びエチレン−酢酸ビニル共重合体からなるベースシートを備えている。第二部品はエチレン−酢酸ビニル共重合体からなり、厚みは２０ｍｍである。第三部品は、エチレン−酢酸ビニル共重合体からなるプレーンシートと、アクリロニトリル−ブタジエン共重合体からなるアウトソールとを備えている。
【００３１】
まず第二部品を研削し、その厚みを１０ｍｍにした。この作業に、約１．０時間を要した。次に、この部材の上面にゴム糊を塗布して第一部品と接合した。次に、この部材の下面にゴム糊を塗布し、第三部品と接合した。接合に要した時間は、約０．２時間である。ゴム糊の乾燥により、靴が完成した。この靴の製作に要した作業時間は、合計で１．２時間である。
【００３２】
［比較例］
アッパーと、エチレン−酢酸ビニル共重合体からなるミッドソールと、アクリロニトリル−ブタジエン共重合体からなるアウトソールとを備えた市販の靴を用意した。さらに、エチレン−酢酸ビニル共重合体からなり、矩形で、厚みが２０ｍｍである板状部材を用意した。
【００３３】
まず板状部材をカッターナイフで裁断し、ソールに適合する輪郭形状とした。この作業に、約１．５時間を要した。次に、この部材を上下に分割し、厚みを１０ｍｍにした。この作業に、約１．０時間を要した。次に、この部材の上面にゴム糊を塗布して第一部品と接合した。次に、この部材の下面にゴム糊を塗布し、第三部品と接合した。接合に要した時間は、約０．２時間である。ゴム糊が乾燥した後、挿入された部材の周縁をグラインダーで研磨した。この作業に、約１．０時間を要した。この靴の製作に要した作業時間は、合計で３．２時間である。この作業時間は、実施例の作業時間に比べて長い。
【００３４】
【発明の効果】
以上説明されたように、本発明の部品セットが用いられれば、ソール厚みの調整が容易である。この部品セットが用いられることにより、症状に応じた靴が低価格で製作されうる。この部品セットは、福祉の向上に寄与しうる。
【図面の簡単な説明】
【図１】図１（ａ）は本発明の一実施形態に係る部品セットの第一部品が示された正面図であり、図１（ｂ）はその底面図である。
【図２】図２（ａ）は図１の第一部品と共に用いられる第二部品が示された正面図であり、図２（ｂ）はその底面図である。
【図３】図３（ａ）は図１の第一部品及び図２の第二部品と共に用いられる第三部品が示された正面図であり、図３（ｂ）はその底面図である。
【図４】図４は、図１の第一部品、図２の第二部品及び図３の第三部品が組み合わされてなる靴が示された正面図である。
【符号の説明】
１・・・第一部品
３・・・アッパー
５・・・ベースシート
１１・・・第二部品
１７・・・第三部品
１９・・・プレーンシート
２１・・・アウトソール
２７・・・筋溝
２９・・・靴
３１・・・ソール
３３・・・ミッドソール
【図１】
2004129815.tif 000003
【図２】
2004129815.tif 000004
【図３】
2004129815.tif 000005
【図４】
2004129815.tif 000006